(57)【要約】【課題】  フィルムシートの引き出しを正確に行うことができるフィルムシート枚葉機構及びこれを備えた熱現像記録装置を提供する。【解決手段】  複数枚のカットシート状のフィルムを積載したトレイから、最上層のフィルムシートＦ１を一枚ずつ取り出してフィルムシートの搬送方向下流側へ供給するフィルムシート枚葉機構１０であって、トレイ１１４内に積載されたフィルムシートＦの最上層のフィルムシートＦ１を吸着しつつ引き上げて搬送方向下流側へ移送するフィルム吸着移送手段１６と、トレイ内に載置されるフィルムシート取り出し側の一辺に当接して位置決めするガイド部材２０Ａ，２０Ｂと、ガイド部材２０Ａ，２０Ｂの上方に配置されガイド部材２０Ａ，２０ＢへのフィルムシートＦの載り上げを防止するフィルムストッパ３０Ａ，３０Ｂ，３０Ｃ，３０Ｄと、を備えた。【選択図】        図２
2006082954.tif 000002
【特許請求の範囲】
【請求項１】
複数枚のカットシート状のフィルムを積載したトレイから、最上層のフィルムシートを一枚ずつ取り出して該フィルムシートの搬送方向下流側へ供給するフィルムシート枚葉機構であって、
前記トレイ内に積載されたフィルムの最上層のフィルムシートを吸着しつつ引き上げて前記搬送方向下流側へ移送するフィルム吸着移送手段と、
前記トレイ内に載置されるフィルムシートの取り出し側の一辺に当接して位置決めするガイド部材と、
前記ガイド部材の上方に配置され該ガイド部材へのフィルムシートの載り上げを防止するフィルムストッパと、を備えたことを特徴とするフィルムシート枚葉機構。
【請求項２】
前記ガイド部材の上方における前記フィルムシートの前記取り出し側の一辺に沿って配置され、前記フィルムストッパを取り付けるストッパ取付軸を有するストッパ支持部材を備え、
前記フィルムストッパが、一端側に前記ストッパ支持部材のストッパ取付軸を揺動自在に挿通する取付孔を有し、該他端側には前記取付軸を中心に前記フィルムストッパが揺動した場合に前記ストッパ支持部材に当接して揺動動作を制限する突起を有することを特徴とする請求項１記載のフィルムシート枚葉機構。
【請求項３】
前記突起が、前記フィルムストッパの前記他端側で、前記ストッパ支持部材の取付軸に対して略平行に突設された突片であることを特徴とする請求項２記載のフィルムシート枚葉機構。
【請求項４】
前記ストッパ支持部材の取付軸が、前記フィルム吸着移送手段に備えた吸盤部材の近傍に配設されていることを特徴とする請求項２又は請求項３記載のフィルムシート枚葉機構。
【請求項５】
前記フィルムストッパが、樹脂材料からなることを特徴とする請求項１〜請求項４のいずれか一項記載のフィルムシート枚葉機構。
【請求項６】
前記トレイが、前記ストッパ支持部材の揺動面に対して平行な方向へ相対移動可能にするスライド機構に接続されており、
前記フィルムストッパの取付孔が、該フィルムストッパの長軸を前記他端側に向かう方向とする長孔であって、該フィルムストッパの前記長孔による最降下位置が前記フィルムストッパの少なくとも一部を前記トレイの内部に装入させた位置であることを特徴とする請求項２〜請求項５のいずれか一項記載のフィルムシート枚葉機構。
【請求項７】
熱現像感光材料又は感光感熱記録材料からなる熱現像記録材料を露光して潜像を形成する露光部と、該潜像の形成された熱現像記録材料を加熱して熱現像を行う熱現像部とを少なくとも備えた熱現像記録装置であって、
前記露光部に前記熱現像記録材料を供給する機構が、請求項１〜請求項６のいずれか一項記載のフィルムシート枚葉機構からなることを特徴とする熱現像記録装置。
【発明の詳細な説明】
【技術分野】
【０００１】
本発明は、フィルムシートを取り出す際に用いるフィルムシート枚葉機構及びこれを備えた熱現像記録装置に関する。
【背景技術】
【０００２】
従来の熱現像記録装置の一例として、熱現像感光材料又は感光感熱記録材料からなる熱現像記録材料を露光して潜像を形成する露光部と、該潜像の形成された熱現像記録材料を加熱して熱現像を行う熱現像部とを備えた熱現像記録装置が知られている（例えば特許文献１参照）。
【特許文献１】特開２００４−１４８６６２号公報
【発明の開示】
【発明が解決しようとする課題】
【０００３】
ところが、上記特許文献１記載の熱現像記録装置では、トレイ内に積載されたフィルムシートのうち、最上層のフィルムシートを引き上げる際に、最上層の下側に積載されたフィルムシートが最上層のフィルムシートとともに引き上げられてしまい、搬送途中でトレイの上方に載った状態となることが起こり得る。その場合には、次のフィルムシートの引き上げ動作が行われるときに、トレイの上方に載ったままになったフィルムシートを引き上げることなり、そのフィルムシートに引っ掛かりや、搬送ミスが生じて正確なフィルムシートの搬送が行えなくなる不具合を生じる。
【０００４】
本発明は、上述した事情に鑑みてなされたものであり、その目的は、フィルムシートの引き出しを連続して正確に行うことができるフィルムシート枚葉機構及びこれを備えた熱現像記録装置を提供することにある。
【課題を解決するための手段】
【０００５】
本発明の上記目的は下記構成により達成される。
（１）  複数枚のカットシート状のフィルムを積載したトレイから、最上層のフィルムシートを一枚ずつ取り出して該フィルムシートの搬送方向下流側へ供給するフィルムシート枚葉機構であって、前記トレイ内に積載されたフィルムの最上層のフィルムシートを吸着しつつ引き上げて前記搬送方向下流側へ移送するフィルム吸着移送手段と、前記トレイ内に載置されるフィルムシートの取り出し側の一辺に当接して位置決めするガイド部材と、前記ガイド部材の上方に配置され該ガイド部材へのフィルムシートの載り上げを防止するフィルムストッパと、を備えたことを特徴とするフィルムシート枚葉機構。
【０００６】
このように構成されたフィルムシート枚葉機構においては、ガイド部材に当接することによりトレイ内に位置決めされたフィルムシートの最上層のフィルムシートがフィルム吸着移送手段によって引き上げられる際に、最上層の下側に積載されているフィルムシートが最上層のフィルムシートとともに引き上げられたとしても、そのフィルムシートがフィルムストッパに当接することにより、自然落下してガイド部材へのフィルムシートの載り上げが防止される。これにより、フィルムストッパに当接して落下したフィルムシートはトレイ内の元の位置に戻され、トレイの上部に載ったままとならないので、フィルムシートを連続して正確に引き出すことができる。
【０００７】
（２）  前記ガイド部材の上方における前記フィルムシートの前記取り出し側の一辺に沿って配置され、前記フィルムストッパを取り付けるストッパ取付軸を有するストッパ支持部材を備え、前記フィルムストッパが、一端側に前記ストッパ支持部材のストッパ取付軸を揺動自在に挿通する取付孔を有し、該他端側には前記取付軸を中心に前記フィルムストッパが揺動した場合に前記ストッパ支持部材に当接して揺動動作を制限する突起を有することを特徴とする（１）記載のフィルムシート枚葉機構。
【０００８】
このように構成されたフィルムシート枚葉機構においては、取付孔がストッパ支持部材のストッパ取付軸に揺動自在に挿通されたフィルムストッパは、ストッパ取付軸に支持されながら揺動する際に、突起がストッパ支持部材に当接することにより揺動範囲を制限される。それにより、フィルムストッパを、上方へ跳ね上がらない範囲で揺動させて、正規位置に安定して復帰させることができるとともに、不安定位置で停止することを防止できる。
【０００９】
（３）  前記突起が、前記フィルムストッパの前記他端側で、前記ストッパ支持部材の取付軸に対して略平行に突設された突片であることを特徴とする（２）記載のフィルムシート枚葉機構。
【００１０】
このように構成されたフィルムシート枚葉機構においては、フィルムストッパの突片がストッパ支持部材に当接することにより、フィルムストッパの過剰な揺動が阻止される。その結果、フィルムストッパの長手方向が水平に近くなり重心位置で釣り合って不安定な位置で静止することを防止できる。
【００１１】
（４）  前記ストッパ支持部材の取付軸が、前記フィルム吸着移送手段に備えた吸盤部材の近傍に配設されていることを特徴とする（２）又は（３）記載のフィルムシート枚葉機構。
【００１２】
このように構成されたフィルムシート枚葉機構においては、ストッパ支持部材の取付軸がフィルム吸着移送手段の吸盤部材の近傍に配設されることにより、フィルムストッパが吸盤部材に接近して配置される。これにより、フィルムシートが吸盤部材によって吸着されて引き上げられるに際し、吸盤部材に対してフィルムストッパが離れて配置されていると、下側のフィルムシートがフィルムストッパに当接した際に、フィルムシートの腰が弱く、大きな弾性反発力が生じないので、引き上げられながら水平方向に移動はするが、元の位置に戻るまでには至らない。これに対して、吸盤部材に対してフィルムストッパが接近して配置されていると、吸盤部材の近くで下側のフィルムシートがフィルムストッパに当接することにより腰が強くなって大きな弾性反発力を生じ、自ら発生した大きな弾性反発力をもって、下側のフィルムシートをトレイ内の所定位置に自動的に戻すことができる。
【００１３】
（５）  前記フィルムストッパが、樹脂材料からなることを特徴とする（１）〜（４）のいずれか一項記載のフィルムシート枚葉機構。
【００１４】
このように構成されたフィルムシート枚葉機構においては、フィルムストッパが、軽い樹脂材により形成されることで揺動動作が円滑となる。また、低コスト化が図れるとともに、表面硬度が金属より低いため、フィルムシート等への傷つきも防止できる。
【００１５】
（６）  前記トレイが、前記ストッパ支持部材の揺動面に対して平行な方向へ相対移動可能にするスライド機構に接続されており、前記フィルムストッパの取付孔が、該フィルムストッパの長軸を前記他端側に向かう方向とする長孔であって、該フィルムストッパの前記長孔による最降下位置が前記フィルムストッパの少なくとも一部を前記トレイの内部に装入させた位置であることを特徴とする（２）〜（５）のいずれか一項記載のフィルムシート枚葉機構。
【００１６】
このように構成されたフィルムシート枚葉機構においては、フィルムストッパの長孔により、上下移動が可能となり、トレイ内のガイド部材の位置へフィルムストッパを近接させることができ、フィルムシートの乗り上げをより確実に防止できる。また、フィルムストッパの下端側の一部がトレイ内に装入されても、トレイの移動時にフィルムストッパの下端側に当接することでフィルムストッパが容易に上方へ移動あるいは揺動し、トレイの抜き差しに邪魔にならない。
【００１７】
（７）  熱現像感光材料又は感光感熱記録材料からなる熱現像記録材料を露光して潜像を形成する露光部と、該潜像の形成された熱現像記録材料を加熱して熱現像を行う熱現像部とを少なくとも備えた熱現像記録装置であって、前記露光部に前記熱現像記録材料を供給する機構が、（１）〜（６）のいずれか一項記載のフィルムシート枚葉機構からなることを特徴とする熱現像記録装置。
【００１８】
このように構成されたフィルムシート枚葉機構を備えた熱現像記録装置においては、露光部に熱現像記録材料を供給するフィルムシート枚葉機構により、ガイド部材へのフィルムシートの載り上げを防止して、フィルムシートを連続して正確に引き出すことができる熱現像記録装置が得られる。
【発明の効果】
【００１９】
本発明のフィルムシート枚葉機構及びこれを備えた熱現像記録装置によれば、トレイの上方にフィルムシートが載ったままになり、引っかかりや、詰まりが生じて正確なフィルムシートの搬送を行えない、という問題を解消でき、これにより、フィルムシートの引き出しを連続して正確に行うことが可能となる。
【発明を実施するための最良の形態】
【００２０】
以下、本発明に係るフィルムシート枚葉機構及びこれを備えた熱現像記録装置の好適な実施の形態について、図面を参照して詳細に説明する。
図１は本発明に係るフィルムシート枚葉機構及びこれを備えた熱現像記録装置の一実施形態を示す熱現像記録装置の全体構造図である。
【００２１】
まず、熱現像装置全体の構成から説明する。
図１に示すように、本発明の一実施形態であるフィルムシート枚葉機構１０が用いられる熱現像記録装置１００は、熱現像記録材料としてのフィルムシートＦの搬送方向順に、熱現像記録材料供給部Ａと、画像露光部Ｂと、熱現像部Ｃと、冷却部Ｄとを備えている。また、各部間の要所に設けられフィルムシートＦを搬送するための搬送手段と、各部を駆動し制御する電源／制御部Ｅとを備えている。
【００２２】
上記熱現像記録装置１００は、最下段に電源／制御部Ｅ、その上段に熱現像記録材料供給部Ａ、さらにその上段に画像露光部Ｂと熱現像部Ｃと冷却部Ｄとを配置した構成となっており、画像露光部Ｂと熱現像部Ｃとを隣接させた配置としている。
【００２３】
フィルムシートＦとしては、前述の熱現像感光材料又は感光感熱記録材料等を使用することができる。熱現像感光材料は、光ビーム（例えば、レーザビーム）によって画像を記録（露光）し、その後、熱現像して発色させる記録材料である。また、感光感熱記録材料は、光ビームによって画像を記録し、その後、熱現像して発色させるか、或いは、レーザビームのヒートモード（熱）によって画像を記録すると同時に発色させ、その後、光照射で定着する記録材料である。
【００２４】
熱現像記録材料供給部Ａは、フィルムシートＦを一枚ずつ取り出して、フィルムシートＦの搬送方向の下流に位置する画像露光部Ｂに供給する部分であり、三つの装填部１０２，１０４，１０６と、各装填部にそれぞれ配置されるフィルムシート枚葉機構１０，１０，１０と、各フィルムシート枚葉機構１０に備えた上ローラ１２Ａ，１２Ａ，１２Ａに対向配置されて対をなす下ローラ１４，１４，１４と、不図示の搬送ローラ及び搬送ガイドとを有して構成される。また、三段構成となっている各装填部１０２，１０４，１０６の内部には、異なる、例えば、Ｂ４サイズ、及び半切サイズ等のフィルムシートＦが収容されたフィルム装填マガジン１０８，１１０，１１２がマガジン受けであるトレイ１１４，１１６，１１８内に収納され、各段に装填されたサイズや向きの、いずれかを選択的に使用できるようにしている。
【００２５】
フィルムシートＦは、カットシート状に加工され、通常、１５０枚等の所定単位の積層体（束）とされてフィルム装填マガジン１０８，１１０，１１２内にそれぞれ配置され、熱現像記録材料供給部Ａの各段に装填される。
【００２６】
画像露光部Ｂは、熱現像記録材料供給部Ａから搬送されてきたフィルムシートＦに対して光ビームＬＢを主走査方向に走査露光し、また、主走査方向に略直交する副走査方向（即ち、搬送方向）に搬送することで、所望の画像をフィルムシートＦに記録して潜像を形成する。
【００２７】
熱現像部Ｃは、走査露光後のフィルムシートＦを搬送しながら昇温処理して、熱現像を行う。そして、冷却部Ｄにおいて現像処理後のフィルムシートＦを冷却して、排出トレイ１２０に搬出する。
【００２８】
ここで、熱現像記録材料供給部Ａと画像露光部Ｂとの間の搬送路には幅寄せ機構１２２が設けられており、熱現像記録材料供給部Ａから搬入されてきたフィルムシートＦを、その幅方向端部を揃えた状態で画像露光部Ｂへ供給している。
【００２９】
次に、画像露光部Ｂについて具体的に説明する。
画像露光部Ｂは、光ビーム走査露光によってフィルムシートＦを露光する部位であり、熱現像材料の搬送面からのばたつきを防止しつつ搬送するばたつき防止機構を有した副走査搬送部（副走査手段）１２４と、走査露光部（レーザ照射手段）１２６とを備えている。走査露光部１２６は、別途用意された画像データに従ってレーザの出力を制御しつつ、このレーザを走査（主走査）させる。このときフィルムシートＦを副走査搬送部１２４によって副走査方向に移動させる。
【００３０】
副走査搬送部１２４は、照射するレーザ光の主走査ラインを挟んで、軸線がこの走査ラインに対して略平行に配置された２本の駆動ローラ１２８，１３０と、これら駆動ローラ１２８，１３０に対向して配置され、フィルムシートＦを支持するガイド板１３２を備えている。ガイド板１３２は、各駆動ローラ１２８，１３０との間に挿入されるフィルムシートＦを、並設されたこれら駆動ローラ同士間の外側で該駆動ローラ周面の一部に沿って撓ませて、駆動ローラ同士間でフィルムシートＦの撓みによる弾性反発力を当接して受け止めるようにしている。
【００３１】
この撓みによりフィルムシートＦ自身に弾性反発力が発生する。この弾性反発力により、フィルムシートＦと駆動ローラ１２８，１３０との間に所定の摩擦力が生じ、駆動ローラ１２８，１３０からフィルムシートＦへ確実に搬送駆動力が伝達されて、フィルムシートＦが搬送されるようになる。従って、フィルムシートＦの搬送面からのばたつき、即ち、上下方向のばたつきが確実に抑制される。この駆動ローラ同士間のフィルムシートＦに向けてレーザ光を照射することで、露光位置ずれのない良好な記録が行えることになる。なお、駆動ローラ１２８，１３０は、図示しないモータ等の駆動手段の駆動力を、歯車やベルト等の伝達手段を介して受け、図１の時計回り方向へ回転するようになっている。
【００３２】
次に、熱現像部Ｃについて説明する。
熱現像部Ｃは、熱処理を適用されるタイプの被熱処理熱現像記録材料を加熱するものであり、構成としては、フィルムシートＦを処理するのに必要な温度となる加熱体としての熱現像記録材料の移送方向に並ぶ複数のプレートヒータ１３４，１３６，１３８を湾曲させ、かつ、これらプレートヒータ１３４，１３６，１３８を一連の円弧状配置としている。
【００３３】
即ち、これらプレートヒータ１３４，１３６，１３８を含む熱現像部Ｃの構成としては、図示されるように、各プレートヒータに凹面を設け、フィルムシートＦをプレートヒータの凹面に対して接触させつつ滑らせて、相対的に移動させる。このときのフィルムシートＦの移送手段として、供給ローラ１４０と、各プレートヒータからフィルムシートＦへの伝熱用でもある複数の押さえローラ１４２と、を配設している。
【００３４】
押さえローラ１４２は、歯車１４４に噛合して歯車１４４の回転に従動して回転駆動される。これら押さえローラ１４２としては、金属ローラ、樹脂ローラ、ゴムローラ等が利用できる。この構成により、搬送されるフィルムシートＦがプレートヒータ１３４，１３６，１３８に押し付けられつつ搬送されるので、フィルムシートＦの座屈が防止される。なお、上記の湾曲プレートヒータは一例であり、この他、加熱手段としては平坦なプレートヒータや加熱ドラム等を用いる構成であってもよい。
【００３５】
熱現像部Ｃ内におけるフィルムシートＦの搬送路の終端には、フィルムシートＦを移送する排出ローラ１４６が配設されている。そして、熱現像部Ｃから搬出されたフィルムシートＦは、冷却部Ｄによってシワが発生しないように、かつ湾曲ぐせが付かないように注意しながら冷却される。冷却部Ｄから排出されたフィルムシートＦは搬送路途中に設けられた冷却ローラ対１４８によりガイドプレート１５０内に案内され、さらに、排出ローラ対１５２から排出トレイ１２０に排出される。
【００３６】
このように冷却部Ｄ内には、複数の冷却ローラ対１４８がフィルムシートＦの搬送経路に所望の一定曲率Ｒを与えるように配置されている。これは、フィルムシートＦがその材料のガラス転移点以下に冷却されるまで一定の曲率Ｒにより搬送されるということであり、このように意図的に熱現像記録材料に曲率を付けることで、ガラス転移点以下に冷却される前に余計なカールが付かなくなり、ガラス転移点以下となれば、新たなカールが付くこともなく、カール量がばらつかない。
【００３７】
また、冷却ローラ自体及び冷却部Ｄの内部雰囲気を温度調節している。このような温度調節は、熱処理装置の立ち上げ直後と十分にランニングを行った後との状態をなるべく同様なものにし、濃度変動を小さくすることができる。
【００３８】
続いて、本発明に係るフィルムシート枚葉機構１０について詳細に説明する。
図２は図１に示すフィルムシート枚葉機構周りの一部破断斜視図、図３はフィルム吸着移送手段の外観斜視図、図４はストッパ支持部材周りの外観斜視図である。
図２に示すように、フィルムシート枚葉機構１０は、可動側となるフィルム吸着移送手段１６と、該フィルム吸着移送手段１６両脇側に固設される搬送支持手段１８Ａ，１８Ｂとを有して構成され、各トレイ（図１参照）１１４，１１６，１１８内には、収容されるフィルムシートＦの端部に当接させるガイド部材２０を脱着自在に組み付けている。ガイド部材２０は、トレイ内に収容するフィルムシートＦのサイズや向きに応じて取り付け位置や本数が適宜設定される。
【００３９】
可動側のフィルム吸着移送手段１６は、各装填部（図１参照）１０２，１０４，１０６内において各トレイ１１４，１１６，１１８のフィルムシート取り出し側の一辺における上方に配置され、図３に示すように、ステー２２の中央部下側に上ローラ１２Ａ、１２Ｂを回転自在に配置し、ステー２２の両側部下側に一対の吸盤部材２４Ａ，２４Ｂを配置している。フィルム吸着移送手段１６は、図２中に示すように、トレイ１１４のフィルムシート取り出し側の端部の位置Ｐ１と、下ローラ１４の上方位置Ｐ２までの間を、搬送支持手段１８Ａ，１８Ｂの駆動により往復移動する。
【００４０】
固定側の搬送支持手段１８Ａ，１８Ｂは、図２に示すように、各装填部１０２，１０４，１０６内においてフィルム吸着移送手段１６の側方に配置されている。また、図４に示すように、細長状のストッパ支持部材２６を、図３に示すフィルム吸着移送手段１６のステー２２に対して長手方向を平行にして、各搬送支持手段１８Ａ，１８Ｂに架け渡すように配置している。ストッパ支持部材２６には、下ローラ１４が回転駆動可能に軸支されている。このストッパ支持部材２６には、ストッパ支持軸となる４本のボルト（座付ボルト）２８Ａ，２８Ｂ，２８Ｃ，２８Ｄが取り付けられ、ボルト２８Ａ，２８Ｂ，２８Ｃ，２８Ｄのそれぞれにフィルムストッパ３０Ａ，３０Ｂ，３０Ｃ，３０Ｄが揺動自在に支持される。
【００４１】
トレイ１１４は、図２に示すように、スライド機構１６０により、ストッパ支持部材２６と平行な方向へ相対移動可能に接続され、装填部１０２への出し入れが自在に組み付けられている。トレイ１１４の上方開放部には、金属製のカバー板１６２が取り付けられており、カバー板１６２によってトレイ１１４が遮光されて密閉される。そして、トレイ１１４のフィルムシート取り出し側となる内側部に、ガイド部材２０Ａ，２０Ｂが立設されている。各ガイド部材２０Ａ，２０Ｂは、トレイ１１４内に載置されるフィルムシート取り出し側の一辺を当接させることにより、フィルムシートＦをトレイ１１４内で位置決めする。
【００４２】
更に詳細に説明すると、図３に示すように、フィルム吸着移送手段１６は、ステー２２の中央部に吸引力発生用のモータ３２を有し、このモータ３２のモータ軸（不図示）がポンプ３４に結合されている。また、ポンプ３４が分岐パイプ３６を通じて吸盤部材２４Ａ，２４Ｂの下端部に形成された開放部（不図示）に連通するよう接続されている。フィルム吸着移送手段１６は、電源／制御部（図１参照）Ｅから与えられた信号により駆動手段が駆動されると、下ローラ１４の上方位置Ｐ２から、トレイ１１４のフィルムシート取り出し側の位置Ｐ１まで移動する。そして、電源／制御部Ｅから与えられた信号によりモータ３２が駆動されることによりポンプ３４が駆動され、ポンプ３４により負圧を発生する。これにより、トレイ１１４のフィルムシート取り出し側の位置Ｐ１で吸盤部材２４Ａ，２４Ｂがトレイ１１４内に積載されたフィルムシートＦから最上層の一枚を吸引保持する。そして、吸盤部材２４Ａ，２４Ｂが最上層のフィルムシートＦを保持しながらフィルム吸着移送手段１６を駆動手段によって下ローラ１４の上方位置Ｐ２へ移動し、下ローラ１４を回転駆動することで、フィルムシートＦを搬送方向下流側へと搬送する。
【００４３】
図４に示すように、搬送支持手段１８Ａ，１８Ｂに懸架されたストッパ支持部材２６の側面には、フィルムストッパ３０Ａ，３０Ｂがボルト２８Ａ，２８Ｂによってフィルム吸着移送手段１６の一方の吸盤部材２４Ａ（図示略）及びガイド部材２０Ａの近傍に配設されている。また、同側面には、フィルムストッパ３０Ｃ，３０Ｄがボルト２８Ｃ，２８Ｄによってフィルム吸着移送手段１６の他方の吸盤部材２４Ｂ（図示略）及びガイド部材２０Ｂの近傍に配設されている。そして、各フィルムストッパの近傍には剥離爪３８も取り付けられている。従って、各フィルムストッパ３０Ａ，３０Ｂ，３０Ｃ，３０Ｄが、各ガイド部材２０Ａ，２０Ｂの上方において各吸盤部材２４に接近して配置された構成となっている。なお、ストッパ支持部材２６は、開口を上方に向けた断面視コ字形状の板部材であって、トレイ１１４の引き出し方向に沿って取り付けられている。
【００４４】
図５にフィルムストッパの形状と揺動動作を説明する外観斜視図を示した。
フィルムストッパ３０Ａ，３０Ｂ，３０Ｃ，３０Ｄはいずれも同一形状であって、樹脂材料を素材として成形されており、一端側にストッパ支持部材２６に取り付けるボルト２８が揺動自在に挿通される取付孔４０を有し、ストッパ支持部材２６側とは反対の他端側にＶ型壁４２を有している。また、ストッパ支持部材２６側に、ボルト２８を中心に揺動した場合に、ストッパ支持部材２６の下端縁に当接して揺動動作を制限する突起（突片）４４を有する。突片４４は、丸棒形状に形成されており、ストッパ支持部材２６のボルト２８に対して略平行に突設されている。また、取付孔４０は、フィルムストッパ３０の長手方向を長軸方向とする長孔であり、フィルムストッパ３０の長孔による最降下位置がフィルムストッパ３０のＶ型壁４２の少なくとも一部をトレイ１１４の内部に装入させる高さ位置に設定されている。
【００４５】
このようにフィルムストッパ３０が、軽い樹脂材により形成されることで揺動動作が円滑となる。また、低コスト化が図れるとともに、表面硬度が金属より低いため、フィルムシート等への傷つきも防止できる。
【００４６】
次に、フィルムシート枚葉機構１０の動作について説明する。
図６はフィルムシート枚葉機構におけるフィルムシートの搬送順序を説明する模式的断面図である。
図６（ａ）に示すように、フィルム吸着移送手段１６が下ローラ１４の上方位置からトレイ１１４のフィルムシート取り出し側の位置までフィードされると、各吸盤部材２４が、トレイ１１４内に積載されていて各ガイド部材２０Ａ，２０Ｂによって位置決めされたフィルムシートＦの最上層の一枚を吸引し始める。
【００４７】
図６（ｂ）に示すように、フィルム吸着移送手段１６の各吸盤部材２４が、フィルムシートＦの最上層の一枚（フィルムシートＦ１）を吸引保持しながら、下ローラ１４の上方位置へフィルムシートＦ１を搬送し始める。このとき、最上層のフィルムシートＦ１が各吸盤部材２４によって引き上げられる際に、最上層のフィルムシートＦ１の下側のフィルムシートＦ２が最上層のフィルムシートＦ１と密着され、双方がともに引き上げられた場合に、最上層及び下側のフィルムシートＦ１，Ｆ２が各フィルムストッパ３０の下端側のＶ型壁４２に当接する。すると、各フィルムストッパ３０がフィルム吸着移送手段１６の各吸盤部材２４の近傍に配設されているために、各吸盤部材２４の近くで、下側のフィルムシートＦ２が各フィルムストッパ３０に当接することにより腰が強くなって大きな弾性反発力を自ら発生して弾性変形する。
【００４８】
そして、図６（ｃ）に示すように、フィルム吸着移送手段１６の各吸盤部材２４が、最上層のフィルムシートＦ１を吸引保持しながら搬送を続け、下ローラ１４の上方位置までフィードされると、各吸盤部材２４に保持されているフィルムシートＦ１の端部が、フィルム吸着移送手段１６の上ローラ１２Ａと、下ローラ１４とに挟まれながら搬送方向下流側へ搬送されていく。このとき、各フィルムストッパ３０に当接することにより腰が強くなって大きな弾性反発力を自ら発生して弾性変形しているフィルムシートＦ２は、その弾性反発力により、最上層のフィルムシートＦ１から分離されて自然落下し、トレイ１１４内の元の所定位置に戻される。これにより、各ガイド部材２０Ａ，２０ＢへのフィルムシートＦ２の載り上げが防止される。ここで、仮に、各吸盤部材２４に対して各フィルムストッパ３０が離れて配置されていると、最上層のフィルムシートＦ１とともに引き上げられたフィルムシートＦ２が各フィルムストッパ３０に当接した際に撓み、そのフィルムシートＦ２の腰が弱くなって、大きな弾性反発力が生じないので、引き上げられながら水平方向に移動はするが、トレイ１１４内の元の位置に戻らまでには至らない。
【００４９】
なお、上記例では下側のフィルムシートＦ２が一枚の場合を示しているが、複数枚が同時に引き上げられた場合であっても、各フィルムシートは同様にして元の所定位置に戻される。
【００５０】
また、フィルムシートＦを引き上げる際、図５に示すように、フィルムストッパ３０は、ストッパ支持部材２６に対して揺動自在に支持されていて、ストッパ支持部材２６の下端側に突片４４を有するため、ボルト２８に支持されながら揺動する際に、突片４４がストッパ支持部材２６の下端縁に当接して揺動範囲が制限される。これにより、フィルムストッパ３０は、上方へ過度に跳ね上がらない範囲で揺動されて、正規位置に安定して復帰することができ、不安定位置での停止が防止される。
【００５１】
つまり、フィルムストッパ３０は、突片４４がストッパ支持部材２６の下端縁に当接した際に、フィルムストッパ３０の過剰な揺動が阻止されるので、フィルムストッパ３０の長手方向が水平に近くなり、重心位置で釣り合って不安定な位置で静止するという事態が生じないことになる。そして、フィルムストッパ３０のＶ型壁４２は、垂直に吊るされた中立状態である正規位置から最大の揺動角を呈したときに下側面を略水平な面にするため、下方への突出をなくして他部材に干渉することを防止できる。
【００５２】
図７にフィルムストッパの上下移動動作を説明する外観斜視図を示した。
図７に示すように、フィルムストッパ３０は、ボルト２８に支持されながら上下移動する際に、その最上昇位置において、突片４４がストッパ支持部材２８の下端縁に設けられた切欠部４６に収容される。これにより、フィルムストッパ３０が上昇した場合に、下方への突出がなくなるので他部材への干渉がなくなる。また、切り欠き部４６に収容された場合にフィルムストッパ３０の揺動動作が制限されるので、フィルムシートＦに振動しつつ接触して損傷を与えることがなくなる。
【００５３】
また、図８はフィルムストッパとトレイとの関係を示す説明図である。
図８（ａ）に示すように、トレイ１１４が装填部１０２に装填されている場合には、フィルムストッパ３０は、垂直に吊るされた正規位置にあり、Ｖ型壁４２がトレイ１１４の内部に装入されている。この状態から、図８（ｂ）に示すように、トレイ１１４が装填部１０２から引き出されると、フィルムストッパ３０は、トレイ１１４の端部等がＶ型壁４２に当接することで上方へ容易に移動あるいは揺動する。従って、フィルムストッパ３０は、トレイ１１４の抜き差し動作に邪魔になることがない。
【００５４】
以上説明したフィルムシート枚葉機構１０によれば、トレイ１１４等に当接することによりトレイ１１４内に位置決めされ積載されたフィルムシートＦの最上層のフィルムシートＦ１がフィルム吸着移送手段１６によって引き上げられる際に、最上層のフィルムシートＦ１の下側のフィルムシートＦ２が最上層のフィルムシートＦ１とともに引き上げられたとしても、それらのフィルムシートＦ１，Ｆ２がフィルムストッパ３０に当接することにより、下側のフィルムシートＦ２が自然落下してガイド部材２０Ａ，２０Ｂへの載り上げが防止される。これにより、フィルムストッパ３０に当接したフィルムシートＦ２はトレイ１１４内の元の所定位置に戻され、トレイ１１４の上部に載ったままとならないので、フィルムシートＦを連続して正確に引き出すことができる。
【００５５】
また、取付孔４０がストッパ支持部材２６のボルト２８に揺動自在に挿通されたフィルムストッパ３０は、ボルト２８に支持されながら揺動する際に、突片４４がストッパ支持部材２６の下端縁に当接することにより揺動範囲を制限される。それにより、フィルムストッパ３０を、上方へ過度に跳ね上がらない範囲で揺動させて、正規位置に安定して復帰させることができるとともに、不安定位置での停止を防止することができる。
【００５６】
そして、フィルムストッパ３０の突片４４である突片がストッパ支持部材２６の下端縁に当接することにより、フィルムストッパ３０の過剰な揺動が阻止され、その結果、フィルムストッパ３０の長手方向が水平に近くなり、重心位置で釣り合って不安定な位置で静止することを防止できる。
【００５７】
さらに、ストッパ支持部材２６のフィルムストッパ３０が吸盤部材２４に接近して配置されるため、フィルムシートＦが吸盤部材２４によって吸着されて引き上げられる場合に、シート自体の腰により、最上層以外のフィルムシートＦを確実に元の所定位置に戻すことができる。吸盤部材２４に対してフィルムストッパ３０が離れて配置されていると、下側のフィルムシートＦ２がフィルムストッパ３０に当接した際に、フィルムシートＦ２の吸盤部材２４間で撓んで腰が弱くなり、大きな弾性反発力が生じなくなって、そのフィルムシートＦ２をトレイ１１４内の所定位置に戻すことができなくなる。
【００５８】
そして、上記のフィルムシート枚葉機構１０を備えた熱現像記録装置１００によれば、ガイド部材２０Ａ，２０ＢへのフィルムシートＦの載り上げを防止して、フィルムシートＦを連続して正確に引き出すことができる。
【００５９】
なお、本発明のフィルムシート枚葉機構及びこれを備えた熱現像記録装置は、前述した各実施形態に限定されるものではなく、適宜、変形、改良等が可能である。
例えば、突片は、図示した丸棒形状に形成されるのに限定されず、角棒等であっても良い。或いは、ボス形状の小突起にしても良い。また、ストッパ取付軸は、図示したボルトに限定されず、リベット等の固定手段であっても良い。
【図面の簡単な説明】
【００６０】
【図１】本発明に係るフィルムシート枚葉機構及びこれを備えた熱現像記録装置の一実施形態を示す熱現像記録装置の全体構造図である。
【図２】図１に示したフィルムシート枚葉機構周りの一部破断斜視図である。
【図３】フィルム吸着移送手段の外観斜視図である。
【図４】ストッパ支持部材周りの外観斜視図である。
【図５】フィルムストッパの形状と揺動動作を説明する外観斜視図である。
【図６】フィルムシートの搬送順序（ａ），（ｂ），（ｃ）を説明する模式的断面図である。
【図７】フィルムストッパの上下移動動作を説明する外観斜視図である。
【図８】トレイの位置（ａ），（ｂ）に対するフィルムストッパの関係を示す説明図である。
【符号の説明】
【００６１】
１０  フィルムシート枚葉機構
１６  フィルム吸着移送手段
２０Ａ，２０Ｂ  ガイド部材
２６  ストッパ支持部材
２８Ａ，２８Ｂ，２８Ｃ，２８Ｃ  ボルト（ストッパ取付軸）
３０Ａ，３０Ｂ，３０Ｃ，３０Ｄ  フィルムストッパ
４０  取付孔
４４  突片（突起）
１００  熱現像記録装置
１１４，１１６，１１８    トレイ
１６０  スライド機構
Ｆ，Ｆ１，Ｆ２  フィルムシート（熱現像記録材料）
Ｂ  露光部（画像露光部）
Ｃ  熱現像部
【図１】
2006082954.tif 000003
【図２】
2006082954.tif 000004
【図３】
2006082954.tif 000005
【図４】
2006082954.tif 000006
【図５】
2006082954.tif 000007
【図６】
2006082954.tif 000008
【図７】
2006082954.tif 000009
【図８】
2006082954.tif 000010